(57)【特許請求の範囲】
【請求項１】
凹状の装着部と該装着部より突出する取付ブラケットを備えた接続箱本体と、この接続箱本体の装着部に装着されるサブ接続箱本体とから成る電気接続箱において、
前記取付ブラケットに補強リブを設け、この補強リブに対向する前記サブ接続箱本体の底面側に、該補強リブに当接する切欠底面を有した切欠部を設け、かつ前記補強リブに位置決め用の係止部を設ける一方、前記サブ接続箱本体の前記切欠部の切欠底面に前記係止部に係合される係合部を設けたことを特徴とする電気接続箱。
【請求項２】
請求項１記載の電気接続箱であって、
前記サブ接続箱本体の前記切欠部に対向する部位に、高さの低い電気部品をマウント自在にしたことを特徴とする電気接続箱。
【請求項３】
請求項１記載の電気接続箱であって、
前記取付ブラケットの斜め形状の一側面の下側に前記補強リブを突設し、この補強リブの上面及び前記取付ブラケットの一側面に前記サブ接続箱本体の切欠部の切欠底面及び切欠側面を当接自在にしたことを特徴とする電気接続箱。
【発明の詳細な説明】
【０００１】
【発明の属する技術分野】
本発明は、車輌等に取り付けられる取付ブラケットを有したリレーボックス，ヒューズボックス等の電気接続箱に関する。
【０００２】
【従来の技術】
この種の電気接続箱として、図５に示すリレーボックス１が知られている。このリレーボックス１は、凹状の装着部３と該装着部３より突出する取付ブラケット４を備えたメインリレーボックス（接続箱本体）２と、このメインリレーボックス２の装着部３に装着されるサブリレーボックス（サブ接続箱本体）５とから構成されている。
【０００３】
メインリレーボックス２の上面には複数のリレー装着用ハウジング２ａを形成してある。また、取付ブラケット４は装着部３の端側のメインリレーボックス２の上側コーナ部より斜め上方に突設されていると共に、該メインリレーボックス２のワイヤハーネス接続側の下側コ−ナ部には他の取付ブラケット６が突設されている。これら車輌固定用の取付ブラケット４，６の一側面には補強リブ４ａ，６ａをそれぞれ一体突出形成してある。さらに、装着部３には一対のロック係合部７，７を設けてある。
【０００４】
また、サブリレーボックス５の上面には複数のリレー装着用ハウジング５ａを形成してある。さらに、サブリレーボックス５の装着部３の一対のロック係合部７，７に対向する位置には、一対のロック係止部８，８を設けてある。また、メインリレーボックス２とサブリレーボックス５にはワイヤハーネス９Ａ，９Ｂがそれぞれ接続されている。これらメインリレーボックス２とサブリレーボックス５は例えば車輌組立ラインに別々に納入される。そして、この車輌組立ラインにてメインリレーボックス２の装着部３に各ロック係合部７とロック係止部８を介してサブリレーボックス５が装着されてリレーボックス１が組み付けられ、各取付ブラケット４，６を介して車輌の所定位置に固定される。
【０００５】
尚、この電気接続箱に関する類似技術は、実開平６−４８１４８号公報に開示されている。
【０００６】
【発明が解決しようとする課題】
しかしながら、前記従来のリレーボックス１では、一方の取付ブラケット４がメインリレーボックス２の上側コーナ部の装着部３の端側より斜めに突出し、かつ補強リブ４ａにより強度不足を補ってその破損を防いでいるため、サブリレーボックス５の取付ブラケット４側のコーナ部が図５中符号Ｋで示すように大きく切り欠かれてしまい、その分サブリレーボックス５のスペースが小さくなった。また、メインリレーボックス２のロック係合部７とサブリレーボックス５のロック係止部８を基準にして両リレーボックス２，５を組み付けるため、組み付け作業効率が悪かった。
【０００７】
そこで、本発明は、前記した課題を解決すべくなされたものであり、サブ接続箱本体の有効スペースを可及的に広げることができると共に、該サブ接続箱本体を接続箱本体にガタ付くことなく容易かつ確実に装着することができる電気接続箱を提供することを目的とする。
【０００８】
【課題を解決するための手段】
請求項１の発明は、凹状の装着部と該装着部より突出する取付ブラケットを備えた接続箱本体と、この接続箱本体の装着部に装着されるサブ接続箱本体とから成る電気接続箱において、前記取付ブラケットに補強リブを設け、この補強リブに対向する前記サブ接続箱本体の底面側に、該補強リブに当接する切欠底面を有した切欠部を設け、かつ前記補強リブに位置決め用の係止部を設ける一方、前記サブ接続箱本体の前記切欠部の切欠底面に前記係止部に係合される係合部を設けたことを特徴とする。
【０００９】
この電気接続箱では、補強リブにより取付ブラケットが補強されてその破損が防止されると共に、サブ接続箱本体の接続箱本体への装着保持に対しても補強される。また、サブ接続箱本体の底面側の取付ブラケットの補強リブに対向する部分に切欠部が設けられているので、サブ接続箱本体の有効スペースが広がる。特に、サブ接続箱本体のデッドスペースとなる部位が有効利用され、かつ接続箱本体とサブ接続箱本体の組み付け作業性が向上する。
【００１０】
請求項２の発明は、請求項１記載の電気接続箱であって、前記サブ接続箱本体の前記切欠部に対向する部位に、高さの低い電気部品をマウント自在にしたことを特徴とする。
【００１１】
この電気接続箱では、電気部品のレイアウトが難しかったサブ接続箱本体の部位でも電気部品がレイアウト可能となり、部品取付性が向上する。
【００１２】
請求項３の発明は、請求項１記載の電気接続箱であって、前記取付ブラケットの斜め形状の一側面の下側に前記補強リブを突設し、この補強リブの上面及び前記取付ブラケットの一側面に前記サブ接続箱本体の切欠部の切欠底面及び切欠側面を当接自在にしたことを特徴とする。
【００１３】
この電気接続箱では、接続箱本体の装着部に対するサブ接続箱本体のガタが吸収され、サブ接続箱本体を接続箱本体の装着部に装着した際の上下方向及び左右前後方向のガタ付きがなくなる。
【００１６】
【発明の実施の形態】
以下、本発明の実施形態を図面に基づいて説明する。
【００１７】
図１は本発明の実施形態の電気接続箱の組み付け前の状態を示す平面図、図２（ａ）は同電気接続箱に用いられるサブ接続箱本体の平面図、図２（ｂ）は同サブ接続箱本体の正面図である。
【００１８】
図１に示すように、電気接続箱としてのリレーボックス１０は、凹状の装着部２１と該装着部２１より突出する取付ブラケット２２を備えた合成樹脂製で平面Ｌ字状のメインリレーボックス（接続箱本体）２０と、このメインリレーボックス２０の装着部２１に装着される合成樹脂製でカセット式のサブリレーボックス（サブ接続箱本体）３０と、底面側が開口していてメインリレーボックス２０及びサブリレーボックス３０を覆う合成樹脂製で箱型の防水カバー４０とから構成されている。この防水カバー４０を予め嵌合させたメインリレーボックス２０とサブリレーボックス３０は例えば車輌組立ラインに別々に納入され、該車輌組立ラインにて組み付けられるようになっている。
【００１９】
図１に示すように、装着部２１はメインリレーボックス２０の後部の中央より図中右上側コーナ部にかけて平面矩形の凹状に形成されていて、該装着部２１の右端側のメインリレーボックス２０の上側コーナ部より斜め上方に取付ブラケット２２を一体突出形成してある。この取付ブラケット２２の上面２２ａの基部側は略三角形状になっていて、左側面（一側面）２２ｂは右側面（他側面）２２ｃに対して逆く字状の斜めに形成してある。この斜め形状の左側面２２ｂの下側には上面２３ａが略台形状の補強リブ２３を水平方向に一体突出形成してあり、該補強リブ２３の厚みは取付ブラケット２２の厚みより薄肉になっている。また、メインリレーボックス２０の図中左下側コ−ナ部には他の取付ブラケット２４を一体突出形成してある。この取付ブラケット２４の一側面にも三角板状の補強リブ２４ａを一体突出形成してある。
【００２０】
また、メインリレーボックス２０の上面２０ａの図中右下側には複数のリレー装着用ハウジング２５をそれぞれ形成してあると共に、該上面２０ａの上側中央及び左側には複数の端子嵌合型ヒュージブルリンク装着用ハウジング２６をそれぞれ形成してある。さらに、メインリレーボックス２０の上面２０ａの図中左上側には螺着型ヒュージブルリンク装着用ハウジング２７を形成してある。これら各端子嵌合型ヒュージブルリンク装着用ハウジング２６と各螺着型ヒュージブルリンク装着用ハウジング２７とは一対のブスバー２８Ａ，２８Ｂにより接続されている。尚、メインリレーボックス２０の左側面の取付ブラケット２４側にはワイヤハーネス２８Ｃが接続されている。
【００２１】
図１，図２（ａ），（ｂ）に示すように、サブリレーボックス３０の底面３０ｂの図中右下側の取付ブラケット２２の補強リブ２３に対向する位置には、三角柱段状の切欠部３１を形成してある。この切欠部３１は、取付ブラケット２２の上面２２ａが対向する三角形状の第１の切欠底面３２ａと、補強リブ２３の上面２３ａが当接する台形状の第２の切欠底面３２ｂを有している。また、切欠部３１は、取付ブラケット２２の斜め形状の左側面２２ｂが当接する第１の切欠側面３３ａと、補強リブ２３の側面２３ｂが対向する第２の切欠側面３３ｂを有している。
【００２２】
また、サブリレーボックス３０の上面３０ａには複数のリレー装着用ハウジング３４をそれぞれ形成してある。さらに、サブリレーボックス３０の上面３０ａの切欠部３１に対向する部位には、リレー装着用ハウジング３４に装着される図示しないリレーよりも高さの低いヒューズ，コネクタ等の電気部品３５をマウントする部品装着用ハウジング３６を形成してある。尚、サブリレーボックス３０の図中左側面にはワイヤハーネス３８を接続してある。
【００２３】
以上実施形態のリレーボックス１０によれば、例えば車輌組立ラインにおいて別々に納入された防水カバー４０を嵌合させたメインリレーボックス２０とサブリレーボックス３０とを組み付ける際に、メインリレーボックス２０より防水カバー４０を外して該メインリレーボックス２０の装着部２１にカセット式のサブリレーボックス３０を装着する。この際、車輌固定用の取付ブラケット２２の斜め形状の左側面２２ｂにサブリレーボックス３０の切欠部３１の第１の切欠側面３３ａが当たって左右前後方向にガタ付きなく装着されると共に、該取付ブラケット２２の左側面２２ｂの下側の補強リブ２３の上面２３ａにサブリレーボックス３０の切欠部３１の第２の切欠底面３２ｂが当たって上下方向にガタ付きなく装着される。その結果、メインリレーボックス２０の装着部２１に対するサブリレーボックス３０のガタを確実に吸収することができる。
【００２４】
また、車輌固定用の取付ブラケット２２の左側面２２ｂの下側に補強リブ２３を一体突出形成したので、該補強リブ２３により取付ブラケット２２を補強してその破損を防ぐことができると共に、サブリレーボックス３０の装着保持に対する補強となる。さらに、補強リブ２３に対向するサブリレーボックス３０の底面３０ｂ側にのみ切欠部３１を形成した、即ちサブリレーボックス３０の底面３０ｂを補強リブ２３の厚み分底上げしたことにより、サブリレーボックス３０の上面３０ａ側の部品レイアウト用の有効スペースを従来よりも広げることができ、サブリレーボックス３０の切欠部３１に対向する上面３０ａ側に図示しないリレーよりも高さの低いヒューズやコネクタ等の電気部品３５を装着することができる。従って、従来では電気部品３５のレイアウトが難しかったカセット式のサブリレーボックス３０でも要求回路に対して十分な部品マウントを容易に行うことができる。
【００２５】
そして、メインリレーボックス２０の装着部２１にサブリレーボックス３０を装着した後で、これらメインリレーボックス２０とサブリレーボックス３０とを防水カバー４０で覆うことにより防水性等に優れたリレーボックス１０が組み付けられる。このようにして組み付けられたリレーボックス１０は、各取付ブラケット２２，２４を介して車輌の所定位置に固定される。また、車輌の所定位置に固定した後は、サブリレーボックス３０の切欠部３１を底面３０ｂ側にのみ形成したので、その部分からの水の吹上げによる浸水を防ぐことができる。
【００２６】
図３は本発明の他の実施形態の電気接続箱の組み付け前の状態を示す平面図である。この他の実施形態の電気接続箱としてのリレーボックス１０′は、凹状の装着部２１と該装着部２１より突出する取付ブラケット２２を備えた合成樹脂製で平面Ｌ字状のメインリレーボックス（接続箱本体）２０′と、このメインリレーボックス２０′の装着部２１に装着される合成樹脂製でカセット式のサブリレーボックス（サブ接続箱本体）３０′と、底面側が開口していてメインリレーボックス２０′及びサブリレーボックス３０′を覆う合成樹脂製で箱型の防水カバー４０′とから構成されている。そして、上記取付ブラケット２２の左側面（一側面）２２ｂの下側より一体突出形成された補強リブ２３の上面２３ａに、位置決め用で円柱状のボス（係止部）２９を一体突出形成する一方、サブリレーボックス３０′の底面３０ｂ側の切欠部３１の第２の切欠底面３２ｂに上記ボス２９を係合される長孔（係合部）３９を形成した点が、前記実施形態と異なる。他の構成は前記実施形態と同様であるので、同一構成部分には同一符号を付して詳細な説明は省略する。
【００２７】
この他の実施形態のリレーボックス１０′によれば、前記実施形態と同様の作用効果を奏すると共に、補強リブ２３の位置決め用ボス２９に対向するサブリレーボックス３０′の切欠部３１の第２の切欠底面３２ｂに該位置決め用ボス２９が挿入される長孔３９を形成したことにより、前記実施形態ではデッドスペースとなっていたサブリレーボックス３０′の図中右下側のコーナ部を有効利用することができると共に、メインリレーボックス２０′とサブリレーボックス３０′の組み付け作業性を改善することができる。また、組み付け後は、位置決め用ボス２９により、メインリレーボックス２０′とサブリレーボックス３０′とのガタ付きをさらに確実に防止することができる。
【００２８】
尚、前記各実施形態によれば、補強リブの上面と切欠部の第２の切欠底面とを当接させ、さらに、取付ブラケットの斜め形状の側面と切欠部の第１の切欠側面とを当接させるようにしたが、取付ブラケットの上面と切欠部の第１の切欠底面とを当接させたり、補強リブの側面と切欠部の第２の切欠側面とを当接させるようにしてもよい。また、電気接続箱としてリレーボックスについて説明したが、ヒューズボックスやジャンクションボックス等の電気接続箱に前記各実施形態を適用しても良い。さらに、位置決め用ボスを係止部とすると共に、長孔を係合部としたが、凸部を係止部とすると共に、該凸部が係合する凹部を係合部とする等種々の形状にしてもよい。
【００２９】
【発明の効果】
以上説明したように、請求項１の発明によれば、取付ブラケットに補強リブを設けので、該補強リブにより取付ブラケットを補強してその破損を防ぐことができると共に、サブ接続箱本体の装着保持に対して補強することができる。また、補強リブに対向するサブ接続箱本体の底面側にのみ切欠部を設けたので、サブ接続箱本体の有効スペースを従来よりも広げることができる。特に、補強リブに位置決め用の係止部を設ける一方、サブ接続箱本体の切欠部の切欠底面に係止部に係合される係合部を設けたので、サブ接続箱本体のデッドスペースとなる部位を有効利用することができ、かつ接続箱本体にサブ接続箱本体をガタ付くことなく容易かつ確実に装着することができて接続箱本体とサブ接続箱本体の組み付け作業性を向上させることができる。
【００３０】
請求項２の発明によれば、サブ接続箱本体の切欠部に対向する部位に、高さの低い電気部品をマウント自在にしたので、従来では電気部品のレイアウトが難しかったサブ接続箱本体の部位でも電気部品をマウントすることができ、部品取付性を向上させることができる。
【００３１】
請求項３の発明によれば、取付ブラケットの斜め形状の一側面の下側に補強リブを突設し、この補強リブの上面及び取付ブラケットの一側面にサブ接続箱本体の切欠部の切欠底面及び切欠側面を当接自在にしたので、接続箱本体の装着部に対するサブ接続箱本体のガタを吸収することができ、サブ接続箱本体を接続箱本体の装着部に装着した際の上下方向及び左右前後方向のガタ付きをなくすことができる。
【図面の簡単な説明】
【図１】本発明の実施形態の電気接続箱の組み付け前の状態を示す平面図である。
【図２】（ａ）は、上記電気接続箱に用いられるサブ接続箱本体の平面図、（ｂ）は同サブ接続箱本体の正面図である。
【図３】本発明の他の実施形態の電気接続箱の組み付け前の状態を示す平面図である。
【図４】上記他の実施形態の電気接続箱の組み付け前の接続箱本体とサブ接続箱本体の要部の斜視図である。
【図５】従来例の電気接続箱の組み付け前の状態を示す平面図である。
【符号の説明】
１０，１０′  リレーボックス（電気接続箱）
２０，２０′  メインリレーボックス（接続箱本体）
２１  装着部
２２  取付ブラケット
２２ｂ  一側面
２３  補強リブ
２３ａ  上面
２９  位置決め用ボス（係止部）
３０，３０′  サブリレーボックス（サブ接続箱本体）
３０ｂ  底面
３１  切欠部
３２ｂ  切欠底面
３３ａ  切欠側面
３５  電気部品
３９  長孔（係合部）
【図１】
0003936444.tif 000002
【図２】
0003936444.tif 000003
【図３】
0003936444.tif 000004
【図４】
0003936444.tif 000005
【図５】
0003936444.tif 000006